(57)【要約】【課題】熱交換器に対して気流を均一に流すことのできる商品収容装置を提供すること。【解決手段】本発明の商品収容装置は、空気吸込口５１ａ，５１ｂを備えた商品収容庫と、商品収容庫の外部に配置され、熱交換器３００を収容した熱交換室２０と、空気吸込口５１ａ，５１ｂを熱交換室２０の入口２５に接続し、商品収容庫の内部雰囲気を熱交換室２０に送る空気吸込用連絡通路７１とを備える。空気吸込用連絡通路７１は、熱交換室２０の入口との接続部分において、空気吸込用連絡通路７１の断面積を通路の下流側に向けて漸次小さくする傾斜部７５を備える。【選択図】        図１
2008234045.tif 000002
【特許請求の範囲】
【請求項１】
空気吸込口を備えた商品収容庫と、
商品収容庫の外部に配置され、熱交換器を収容した熱交換室と、
前記空気吸込口を前記熱交換室の入口に接続し、前記商品収容庫の内部雰囲気を前記熱交換室に送る空気吸込用連絡通路と、
を備え、前記熱交換室と商品収容庫との間に内部雰囲気を循環させることにより前記商品収容庫を所望の温度範囲に維持するようにした商品収容装置において、
前記空気吸込用連絡通路は、前記熱交換室の入口との接続部分において、前記空気吸込用連絡通路の断面積を通路の下流側に向けて漸次小さくする傾斜部を備えたことを特徴とする商品収容装置。
【請求項２】
前記傾斜部を断熱材で構成したことを特徴とする請求項１に記載の商品収容装置。
【請求項３】
圧縮機、凝縮器、膨張手段及び蒸発器の間に順次冷媒を循環させる冷媒回路を商品収容庫の外部に配置し、前記熱交換室を、前記凝縮器を配置した加熱室と前記蒸発器を配置した冷却室とから構成するとともに、
前記空気吸込口を、互いに独立した暖気吸込口と冷気吸込口とから構成し、且つ、前記空気吸込用連絡通路を、互いに独立した暖気吸込用連絡通路と冷気吸込用連絡通路とから構成し、該暖気吸込用連絡通路を介して前記暖気吸込口を前記加熱室に接続する一方、該冷気吸込用連絡通路を介して前記冷気吸込口を前記冷却室に接続したことを特徴とする請求項１又は２に記載の商品収容装置。
【請求項４】
前記商品収容庫が暖気吐出口及び冷気吐出口を備えるとともに、
該暖気吐出口を前記熱交換室の出口に接続し、前記加熱室の内部雰囲気を前記商品収容庫内に送る暖気吐出用連絡通路と、冷気吐出口を前記冷却室の出口に接続し、前記冷却室の内部雰囲気を前記商品収容庫内に送る冷気吐出用連絡通路と、をさらに備えたことを特徴とする請求項３に記載の商品収容装置。
【請求項５】
前記暖気吸込口、前記冷気吸込口、前記暖気吐出口、前記冷気吐出口を開閉することにより前記商品収容庫に対して前記加熱室及び冷却室を択一的に接続するシャッタ手段をさらに備え、前記各シャッタ手段によって選択した前記加熱室又は冷却室と前記商品収容庫との間において内部雰囲気を循環させることを特徴とする請求項４に記載の商品収容装置。
【発明の詳細な説明】
【技術分野】
【０００１】
本発明は、商品を冷却又は加熱して収容する商品収容装置に関する。
【背景技術】
【０００２】
従来、商品を加熱又は冷却して収容する商品収容装置として、熱交換器を収容した熱交換室を商品収容庫の外部に設け、この熱交換室と商品収容庫との間に内部雰囲気を循環させることにより商品収容庫の加熱又は冷却を行う自動販売機が知られている（例えば特許文献１を参照）。
【０００３】
図１６は、特許文献１に示される自動販売機を側方から見た断面図である。この自動販売機は、断熱仕切壁を介して３つの商品収容庫を並設したものであり、図１６は３つの商品収容庫のうち右庫である商品収容庫５ｃを示している。この自動販売機は、商品収容庫の外部にスターリング冷凍機１０と冷却装置３０とを備えている。冷却装置３０は、冷却器２１、放熱器２２、熱交換室２３、空気吐出通路３４及び空気吸込通路３５とを備えている。冷却器２１は、スターリング冷凍機１０の低温部１１からの冷熱を熱交換室２３まで伝達して、熱交換室２３の内部の空気を冷却するものであり、凝縮部２１１、蒸発部２１２、液体流路２１３及び蒸気流路２１４を備えて構成してある。凝縮部２１１は、スターリング冷凍機１０の低温部１１に熱的に接続され、低温部１１から得た冷熱により冷媒を凝縮するものである。蒸発部２１２は、凝縮機で凝縮された冷媒を蒸発させる際の気化熱により周囲の空気を冷却するものである。液体流路２１３は、凝縮部２１１で凝縮した冷媒を、凝縮部２１１から蒸発部２１２まで移動させるためのものである。蒸気流路２１４は、蒸発部２１２で蒸発した冷媒を、蒸発部２１２から凝縮部２１１まで移動させるためのものである。放熱器２２は、スターリング冷凍機１０の高温部１２から得た高温排熱を自動販売機の外部に放出するためのものであり、蒸発部２２１、凝縮部２２２、蒸気流路２２３、液体流路２２４及び放出用送風ファン２２５を備えて構成してある。
【０００４】
熱交換室２３は、冷却器２１の蒸発部２１２を包囲する態様で配設した管路であり、その内部を流れる空気を冷却するものである。すなわち、熱交換室２３は、蒸発部２１２で冷媒が蒸発することにより、その内部を流れる空気を冷却するものである。この熱交換室２３の内部には、循環用送風ファン２６が配設してある。
【０００５】
空気吐出通路３４は、熱交換室２３と、各商品収容庫のそれぞれの内部とを繋ぐ管路であり、熱交換室２３で冷却された空気を各商品収容庫内に送るためのものである。空気吸込通路３５は、各商品収容庫内と、熱交換室２３とを繋ぐ管路であり、各商品収容庫の内部雰囲気を熱交換室２３に送るためのものである。この空気吸込通路３５は、熱交換室２３に接続され、且つ、本体キャビネット１の機械室においてその幅方向に延設された空気吸込管路３５１と、この空気吸込管路３５１に接続され、各商品収容庫の内部における前面側の下部に臨むよう延設された複数の空気吸込管路３５２とを備える。
【０００６】
上記冷却装置３０においては、空気吐出通路３４および空気吸込通路３５を介して各商品収容庫内と、商品収容庫の外部にある熱交換室２３との間で空気を循環させるための空気循環流路が形成してある。各商品収容庫の内部雰囲気は、空気吸込口３５２１から空気吸込通路３５に進入し、空気吸込通路３５から熱交換室２３に送り込まれ、この熱交換室２３において冷却される。冷却された空気は、空気吐出通路３４を通じて各商品収容庫に送られ、図中の矢印に示すように各商品収容庫内を循環することによって商品Ｗを冷却する。商品Ｗとの間で熱交換が行われて暖められた空気は、再び空気吸込口３５２１から空気吸込管路３５２に進入して、空気吸込管路３５１から熱交換室２３に送り込まれる。そして、熱交換室２３において再び冷却され、上述した循環を繰り返す。
【０００７】
【特許文献１】特開２００５−３３５１号公報
【発明の開示】
【発明が解決しようとする課題】
【０００８】
ところで、熱交換室内で加熱又は冷却した空気を熱交換室と商品収容庫との間で循環させる場合、熱交換器の熱交換性能を確保するために、熱交換器に対して均一に気流を流す必要がある。しかしながら、特許文献１の商品収容装置のように、空気吸込通路（空気吸込管路３５１）を流れる気流を、熱交換室との接続口で直角に曲げて熱交換室に流す構成とした場合、空気吸込通路と熱交換室との接続口において偏流が生じやすくなる。その結果、熱交換器に流れる気流を均一に保つことができなくなり、熱交換器の熱交換量が低下するという問題がある。
【０００９】
本発明は、上記の点に鑑み、熱交換室と商品収容庫との間に内部雰囲気を循環させることにより庫内を加熱又は冷却する商品収容装置において、熱交換器に対して気流を均一に流すことを目的とする。
【課題を解決するための手段】
【００１０】
本発明の請求項１に係る商品収容装置は、空気吸込口を備えた商品収容庫と、商品収容庫の外部に配置され、熱交換器を収容した熱交換室と、前記空気吸込口を前記熱交換室の入口に接続し、前記商品収容庫の内部雰囲気を前記熱交換室に送る空気吸込用連絡通路と、を備え、前記熱交換室と商品収容庫との間に内部雰囲気を循環させることにより前記商品収容庫を所望の温度範囲に維持するようにした商品収容装置において、前記空気吸込用連絡通路は、前記熱交換室の入口との接続部分において、前記空気吸込用連絡通路の断面積を通路の下流側に向けて漸次小さくする傾斜部を備えたことを特徴とする。
【００１１】
また、本発明の請求項２に係る商品収容装置は、上記請求項１において、前記傾斜部を断熱材で構成したことを特徴とする。
【００１２】
また、本発明の請求項３に係る商品収容装置は、上記請求項１又は２において、圧縮機、凝縮器、膨張手段及び蒸発器の間に順次冷媒を循環させる冷媒回路を商品収容庫の外部に配置し、前記熱交換室を、前記凝縮器を配置した加熱室と前記蒸発器を配置した冷却室とから構成するとともに、前記商品収容庫の空気吸込口を、互いに独立した暖気吸込口と冷気吸込口とから構成し、且つ、前記空気吸込用連絡通路を、互いに独立した暖気吸込用連絡通路と冷気吸込用連絡通路とから構成し、該暖気吸込用連絡通路を介して前記暖気吸込口を前記加熱室に接続する一方、該冷気吸込用連絡通路を介して前記冷気吸込口を前記冷却室に接続したことを特徴とする。
【００１３】
また、本発明の請求項４に係る商品収容装置は、上記請求項３において、前記商品収容庫が暖気吐出口及び冷気吐出口を備えるとともに、該暖気吐出口を前記熱交換室の出口に接続し、前記加熱室の内部雰囲気を前記商品収容庫内に送る暖気吐出用連絡通路と、冷気吐出口を前記冷却室の出口に接続し、前記冷却室の内部雰囲気を前記商品収容庫内に送る冷気吐出用連絡通路と、をさらに備えたことを特徴とする。
【００１４】
また、本発明の請求項５に係る商品収容装置は、上記請求項４において、前記暖気吸込口、冷気吸込口、暖気吐出口、冷気吐出口を開閉することにより前記商品収容庫に対して前記加熱室及び冷却室を択一的に接続するシャッタ手段をさらに備え、前記各シャッタ手段によって選択した前記加熱室又は冷却室と前記商品収容庫との間において内部雰囲気を循環させることを特徴とする。
【発明の効果】
【００１５】
本発明の商品収容装置によれば、商品収容庫の内部雰囲気を熱交換室に送る空気吸込用連絡通路の、熱交換室入口との接続部分において、空気吸込用連絡通路の断面積を通路の下流側に向けて漸次小さくする傾斜部を設けた構成としたことで、圧力の高い傾斜面付近から圧力の低い熱交換室入口へ気流の流れが生じ、通路内の気流が傾斜面全体で曲げられる。その結果、気流は熱交換室入口を均一に流れ、熱交換器に対して気流が均一に流れるようになるため、熱交換器の熱交換量を増加させ熱交換能力を向上させることができる。
【発明を実施するための最良の形態】
【００１６】
以下に添付図面を参照して、本発明に係る商品収容装置を、缶入り飲料やペットボトル飲料等の商品を収容する自動販売機に適用した場合の好適な実施の形態について詳細に説明する。
【００１７】
[自動販売機の構成]
図１〜図３は、本発明の実施の形態である商品収容装置を適用した自動販売機を模式的に示したものであり、図１は正面から見た断面図であり、図２は図１のＡ−Ａ線断面図、図３は図１のＣ−Ｃ線断面図である。この自動販売機は、本体キャビネット１を備えている。本体キャビネット１は、前面が開口した直方状の断熱体として形成したものである。この本体キャビネット１の一側縁部には、外扉２及び内扉３を保持させてある。図には示されていないが、この外扉２の前面には、缶入り飲料やペットボトル入り飲料等の商品Ｗの見本を展示する商品展示室、商品Ｗを選択するための選択ボタン、貨幣を投入するための貨幣投入口、払い出された商品Ｗを取り出すための商品取出口等、商品Ｗの販売に必要となる構成が配置してある。内扉３は、断熱材によって構成したもので、後述する商品収容庫の前面開口を開閉すべく外扉２と本体キャビネット１との間に配設してある。この内扉３には、商品取出口へ通じる商品搬出口１１が形成してある。
【００１８】
本体キャビネット１の内部は、断熱壁１２を仕切板として、商品収容庫５と機械室９に区画されている。商品収容庫５は、２つの断熱仕切板４ａｂ，４ｂｃによって仕切られており、３つの独立した商品収容庫５ａ，５ｂ，５ｃを並設した構成となっている。また、商品収容庫５の外側下部に設けられた機械室９の内部には、圧縮機２００、凝縮器３００、膨張弁(図示せず)、電磁弁(図示せず)、蒸発器５００を配管によって連結した冷却ユニット１０が設置してある。この冷却ユニット１０は、圧縮機２００、凝縮器３００及び送風循環ファン４１０が収容された加熱室２０と、蒸発器５００及び膨張弁（図示せず）が収容された冷却室３０とから構成され、加熱室２０及び冷却室３０それぞれを断熱材からなる筐体１００，１１０に収容させたものである。加熱室２０では、凝縮器（熱交換器）３００において冷媒が凝縮する際に発生する凝縮熱によって空気を加熱し、この加熱した空気をファンによって収容庫内に送り出す。一方、冷却室３０では、蒸発器（熱交換器）５００に送られた低温低圧の冷媒が蒸発器５００において蒸発する際の気化熱によって空気を冷却し、この冷却した空気を収容庫内に送り出す。すなわち、加熱室２０と冷却室３０では、空気と熱交換器（凝縮器３００又は蒸発器５００）との間で熱のやり取りが行われる。これを総称して熱交換という。この冷却ユニット１０については後述する。
【００１９】
商品収容庫５ａ，５ｂ，５ｃは、商品Ｗを所望の温度に維持した状態で収容するためのものであり、本実施の形態では、商品収容庫５ａ，５ｂを冷却加熱兼用とし、商品収容庫５ｃを冷却専用としてある。商品収容庫５ａ，５ｂ，５ｃには、それぞれ、商品収納ラック６、搬出機構７及び商品搬出シュータ８ａ，８ｂ，８ｃが設けてある。商品収納ラック６は、商品Ｗを上下方向に沿って並ぶ態様で収納するためのものである。搬出機構７は、商品収納ラック６の下部に設けてあり、この商品収納ラック６に収納された商品群のうち最下段にある商品Ｗを一つずつ搬出するためのものである。
【００２０】
商品搬出シュータ８ａ，８ｂ，８ｃは、搬出機構７から搬出された商品Ｗを商品取出口に導くためのものである。この商品搬出シュータは、複数の通気孔１３を有したプレート状部材であり、商品収容庫の奥方から手前側に向けて漸次下方に傾斜する態様でそれぞれ商品収容庫５ａ，５ｂ，５ｃの下方部に固定してある。
【００２１】
商品搬出シュータ８ａ，８ｂ，８ｃによって仕切られた下方部の空間は、断熱仕切壁１４ａ，１４ｂ，１４ｃによってそれぞれ２室に仕切られており、自動販売機の前方側に位置する室には、後述する加熱室２０からの暖気及び冷却室３０からの冷気の吐出通路１５ａ，１５ｂ，１５ｃが形成してあり、自動販売機の後方側に位置する室には、各吐出通路１５ａ，１５ｂ，１５ｃから吐出され商品収容庫内を循環した空気の吸込通路１６ａ，１６ｂ，１６ｃが形成してある。また、自動販売機の後面壁１７と商品収容庫５との間には、所定の間隔の背面ダクト１８が設けてある。図には明示されていないが、背面ダクト１８の上部には、商品収容庫内の空気を吸い込む背面ダクト吸込口が形成してある。また、背面ダクト１８の下方には、背面ダクトと各吸込通路１６ａ，１６ｂ，１６ｃとを連通させる背面ダクト吐出口１９ａ，１９ｂ，１９ｃが形成してある。
【００２２】
なお、図２及び図３に示すように、各商品収容庫内の吐出通路１５ａ，１５ｂ，１５ｃの所定位置には、それぞれ送風循環ファン４０ａ，４０ｂ，４０ｃが配設してある。この送風循環ファン４０ａ，４０ｂ，４０ｃは、加熱室２０からの暖気及び冷却室３０からの冷気を庫内に循環させるためのものである。なお、本実施の形態では、庫内に設置した温度センサに基づいて送風循環ファン４０ａ，４０ｂ，４０ｃをＯＮ／ＯＦＦすることによって、各商品収容庫内の温度制御を行っている。
【００２３】
商品収容庫５ａにおける吸込通路１６ａの底部の断熱壁には、背面ダクト１８から送られた暖気を吸込み、後述する暖気吸込用連絡通路７１に流通させる暖気吸込口５１ａと、背面ダクト１８から送られた冷気を吸い込み、後述する冷気吸込用連絡通路７２に流通させる冷気吸込口５２ａとが各１個ずつ設けてある。同様にして、商品収容庫５ａにおける吐出通路１５ａの底部の断熱壁には、加熱室２０からの暖気を吐出するための暖気吐出口５３ａと、冷却室３０からの冷気を吐出するための冷気吐出口５４ａとが各１個ずつ設けてある。つまり、商品収容庫５ａの底部には、暖気吸込口５１ａ、冷気吸込口５２ａ、暖気吐出口５３ａ、冷気吐出口５４ａの４つの通風孔が設けてある。同様にして、図示は省略するが、商品収容庫５ｂにおける吸込通路１６ｂの底部には、暖気吸込口５１ｂ及び冷気吸込口５２ｂが設けてあり、吐出通路１５ｂの底部には、暖気吐出口５３ｂ及び冷気吐出口５４ｂが設けてある。また、本実施の形態では商品収容庫５ｃを冷却専用としているため、図３に示すように、商品収容庫５ｃの吸込通路１６ｃの底部には冷気吸込口５２ｃのみを、吐出通路１５ｃの底部には冷気吐出口５４ｃのみを設けている。なお、本実施の形態では、この暖気吸込口、冷気吸込口、暖気吐出口、冷気吐出口を、以下に説明する４本の連絡通路の上部断熱壁に設けた構成としている。
【００２４】
図１〜図３に示すように、吸込通路１６ａ，１６ｂ，１６ｃと、加熱室２０との間には、暖気吸込用連絡通路７１及び冷気吸込用連絡通路７２が、商品収容庫の並設方向に沿って配設してある。一方、吐出通路１５ａ，１５ｂ，１５ｃと加熱室２０との間には、冷気吐出用連絡通路７４及び暖気吐出用連絡通路７３が、商品収容庫の並設方向に沿って配設してある。
【００２５】
暖気吸込用連絡通路７１は、断熱壁で囲まれた空気の流通路であり、その上部断熱壁７１１に上述した暖気吸込口５１ａ，５１ｂが設けてあり、下部断熱壁７１２の、加熱室２０の入口２５に対応する部位には、開口５５が設けてある（図４−１，４−２を参照）。すなわち、暖気吸込用連絡通路７１は、商品収容庫５ａの暖気吸込口５１ａと商品収容庫５ｂの暖気吸込口５１ｂを連通させ、且つ、これらを加熱室２０の入口２５に接続するものであり、商品収容庫の内部雰囲気を加熱室２０へと送る通路である。この暖気吸込用連絡通路７１については後で詳細に説明する。
【００２６】
冷気吸込用連絡通路７２は、断熱壁で囲まれた空気の流通路であり、上部断熱壁に上述した冷気吸込口５２ａ，５２ｂ，５２ｃが設けてある一方、下流側の端面が冷却室３０の入口３５につながっている。すなわち、冷気吸込用連絡通路７２は、商品収容庫５ａの冷気吸込口５２ａ、商品収容庫５ｂの冷気吸込口５２ｂ、商品収容庫５ｃの冷気吸込口５２ｃとを連通させ、且つ、これらを冷却室３０の入口３５に接続するものであり、商品収容庫の内部雰囲気を冷却室３０へと送る通路である。
【００２７】
暖気吐出用連絡通路７３は、断熱壁で囲まれた空気の流通路であり、その上部断熱壁に上述した暖気吐出口５３ａ，５３ｂが設けてあり、下部断熱壁の、加熱室２０の出口２６に対応する部位には、開口が設けてある。すなわち、暖気吐出用連絡通路７３は、商品収容庫５ａの暖気吐出口５３ａと商品収容庫５ｂの暖気吐出口５３ｂを連通させ、且つ、これらを加熱室２０の出口２６に接続するものであり、加熱室２０の内部雰囲気を商品収容庫内へと送る通路である。
【００２８】
冷気吐出用連絡通路７４は、断熱壁で囲まれた空気の流通路であり、上部断熱壁に上述した冷気吐出口５４ａ，５４ｂ，５４ｃが設けてある一方、下流側の端面が冷却室３０の出口３６につながっている。すなわち、冷気吐出用連絡通路７４は、商品収容庫５ａの冷気吐出口５４ａ、商品収容庫５ｂの冷気吐出口５４ｂ、商品収容庫５ｃの冷気吐出口５４ｃとを連通させ、且つ、これらを冷却室３０の出口３６に接続するものであり、冷却室３０の内部雰囲気を商品収容庫内へと送る通路である。
【００２９】
本実施の形態では、上述した４本の連絡通路７１〜７４のうち、暖気吸込用連絡通路７１に、以下に説明する傾斜部７５を配設してある。図１では、説明の便宜上、自動販売機の最も後方側に配設された暖気吸込用連絡通路７１の断面を示している。図１に示すように、暖気吸込用連絡通路７１は、加熱室入口２５との接続部分において、暖気吸込用連絡通路７１の断面積を通路の下流側に向けて漸次小さくする傾斜部７５を備えている。
【００３０】
まず、以下に説明する実施例１では、この傾斜部７５を、暖気吸込口５１ｂよりも下流側の上壁７１１を漸次下方に傾斜させた構成としている。すなわち、傾斜部７５は、加熱室入口２５の上部において、暖気吐出用連絡通路７１の上壁７１１と下壁７１２をつなぐ態様で漸次下方に傾斜する傾斜面７６を有している。この傾斜部７５は断熱材から構成され、暖気吸込用連絡通路７１の下流側端部に形成してある。
【００３１】
図４−１及び図４−２は、暖気吸込用連絡通路７１と加熱室２０を側方から見た断面図であり、図４−１は通路内に傾斜部７５を設けない場合の空気の流れを模式的に示した図、図４−２は通路内に実施例１の傾斜部７５を設けた場合の空気の流れを模式的に示した図である。なお、図４−１，４−２では、空気吸込口として５１ａのみを示している。また、図５は、図４−２において、傾斜面７６を階段状に形成した場合の空気の流れを示したものである。また、図６−１及び図６−２は、暖気吸込用連絡通路７１と加熱室２０との間に空気を循環させたシミュレーション結果を示したものであり、図６−１は傾斜部７５を設けない場合における気流の流速分布及び圧力分布を示した図、図６−２は実施例１における傾斜部７５を設けた場合における気流の流速分布及び圧力分布を示した図である。なお、送風循環ファン４０は、吐出通路１５ａ，１５ｂ，１５ｃに取り付けられているため、各連絡通路７１，７２，７３，７４内はマイナス（負圧）になる。
【００３２】
商品収容庫５ａ内を循環した空気は、空気吸込口５１ａを介して暖気吸込用連絡通路７１内に送り込まれ、加熱室入口２５に向けて流れる。図４−１及び図６−１に示すように、通路に傾斜部７５を設けない場合、加熱室入口２５上部のＣ部付近は、加熱室入口２５との間で圧力差が生じていないため気流は加熱室２０へと流れずに直進する。一方、気流の直進方向の行き止まりであるＡ部での圧力Ｐ5は、気流の直進が妨げられることで、手前のＣ部付近の圧力と比べて高くなる。従って、加熱室入口２５付近のＢ部での圧力をＰ1とすると、Ｐ5＞Ｐ1となり、Ａ部付近で圧力差が生じ、圧力の高いＡ部から圧力の低いＢ部へと気流の流れが生じる。その結果、図６−１に示すように、Ａ部で気流が曲げられ、気流は加熱室入口２５のＢ部に集中して流れてしまう。
【００３３】
一方、図４−２、図５及び図６−２に示すように、通路に傾斜部７５を設けた場合、傾斜面７６付近の圧力は、斜面により気流の直進が妨げられることで、加熱室入口２５付近の圧力Ｐ１よりも高くなる。すなわち、図４−２に示すように傾斜面７６付近の圧力を上流から下流側に向けてＰ4，Ｐ3，Ｐ2とすると、Ｐ4＞Ｐ1、Ｐ3＞Ｐ1、Ｐ2＞Ｐ1となる。また、斜面に沿った気流の流れに伴って圧力も漸次下がり、Ｐ4＞Ｐ3＞Ｐ2となる。その結果、圧力の高い傾斜面７６付近全体から圧力の低い加熱室入口２５へと気流の流れが生じ、通路内の気流は傾斜面７６全体で曲げられる。その結果、図６−２に示すように、暖気吸込用連絡通路７１を通過した気流は、加熱室入口２５を均一に流れることになる。
【００３４】
なお、本実施の形態では、暖気吸込用連絡通路７１の下流側端部が冷却室３０と接する構成となっている。図１に示すように、暖気吸込用連絡通路７１の下流側端部に断熱材からなる傾斜部７５を設置することで、傾斜部７５が暖気吸込用連絡通路７１と冷却室３０との間を断熱する役割も果たしている。また、図４−２における傾斜部７５は、暖気吐出用連絡通路７１とは独立に形成され、通路内に適宜な手段で取り付けられた構成としているが、この傾斜部７５は、暖気吐出用連絡通路７１の断熱壁と一体に形成されていてもよい。
【００３５】
図７は、実施例２の傾斜部７５を示すものであり、図７の上図は、暖気吸込用連絡通路７１を上から見た断面図、下図は、暖気吸込用連絡通路７１と加熱室２０を側方から見た断面図である。また、図８は、実施例２の傾斜部７５を設けた場合における暖気吸込用連絡通路７１と加熱室２０の気流の流速分布及び圧力分布を示した図である。図７の上図に示すように、実施例２の傾斜部７５は、暖気吸込口５１ｂ（図７では図示を省略）よりも下流側の側壁７１３を、自動販売機の前方側に向けて漸次傾斜させた構成としている。すなわち、この実施例では、加熱室入口２５上部の通路側壁７１３に傾斜面７６を形成しているため、加熱室入口２５の一部が傾斜部７５によって塞がれる構成となるものの、図８のシミュレーション結果によれば、圧力の高い傾斜面７６付近全体から圧力の低い加熱室入口２５へと気流の流れが生じ、通路内の気流が傾斜面７６全体で曲げられることが分かる。従って、実施例２の傾斜部７５を通路内に設けた場合も、上記の実施例１の傾斜部７５と同様にして、暖気吸込用連絡通路７１を通過した気流を加熱室入口２５に均一に流すことができる。なお、実施例２の傾斜面７６は、側壁７１３と側壁７１４をつなぐ態様で漸次傾斜させるように形成されていてもよい。
【００３６】
次に、商品収容庫５ａ，５ｂ，５ｃに対して加熱室２０及び冷却室３０を択一的に接続するシャッタ手段について説明する。図２に示すように、商品収容庫５ａにおける暖気吸込口５１ａ、冷気吸込口５２ａ、暖気吐出口５３ａ、冷気吐出口５４ａには、空気の流通を遮断するシャッタ６１ａ，６２ａ，６３ａ，６４ａがそれぞれ設けてある。このシャッタは断熱材から構成され、各吸込口及び吐出口を覆うのに十分な面積を有した板状を成すものであり、適宜な手段によって開閉を行うものである。なお、図２は、シャッタ６１ａ及びシャッタ６３ａが開き、暖気吸込口５１ａ及び暖気吐出口５３ａが開放された状態が示されている。図２に示すように暖気吸込口５１ａ及び暖気吐出口５３ａのシャッタ６１ａ，６３ａを開け、冷気吸込口５２ａ及び冷気吐出口５４ａを閉めた場合には、加熱室２０の暖気は暖気吐出用連絡通路７３を通過して暖気吐出口５３ａから吐出され、送風循環ファン４０ａにより商品収容庫５ａ内に送り込まれる。庫内を循環した暖気は、背面ダクト１８を通って暖気吸込口５１ａに吸い込まれ、暖気吸込用連絡通路７１を通過して加熱室２０に送り込まれる。一方、冷気吸込口５２ａ及び冷気吐出口５４ａのシャッタ６２ａ，６４ａによって冷却室３０からの冷気が遮断されるため、商品収容庫５ａ内に冷気が循環することはない。従って、加熱室２０と商品収容庫５ａ内との間に暖気が循環し、庫内の内部雰囲気が加熱される。
【００３７】
一方、冷気吸込口５２ａ及び冷気吐出口５４ａのシャッタ６２ａ，６４ａを開け、暖気吸込口５１ａ及び暖気吐出口５３ａのシャッタ６１ａ，６３ａを閉めた場合には、冷却室３０の冷気は冷気吐出用連絡通路７４を通過して冷気吐出口５４ａから吐出され、送風循環ファン４０ａにより商品収容庫５ａ内に送り込まれる。庫内を循環した暖気は、背面ダクト１８を通って冷気吸込口５２ａに吸い込まれ、冷気吸込用連絡通路７２を通過して冷却室３０に送り込まれる。一方、暖気吸込口５１ａ及び暖気吐出口５３ａのシャッタ６１ａ，６３ａによって加熱室２０からの暖気が遮断されるため、商品収容庫５ａ内に暖気が循環することはない。従って、冷却室３０と商品収容庫５ａ内との間に冷気が循環し、庫内の内部雰囲気が冷却される。
【００３８】
同様にして、商品収容庫５ｂにおける暖気吸込口５１ｂ、冷気吸込口５２ｂ、暖気吐出口５３ｂ、冷気吐出口５４ｂには、空気の流通を遮断するシャッタ６１ｂ，６２ｂ，６３ｂ，６４ｂがそれぞれ設けてある。商品収容庫５ｂの内部雰囲気を冷却する場合には、冷気吸込口５２ｂ及び冷気吐出口５４ｂのシャッタ６２ｂ，６４ｂを開けることによって、冷却室３０と庫内との間に冷気を循環させる。一方、商品収容庫５ｂの内部雰囲気を加熱する場合には、暖気吸込口５１ｂ及び暖気吐出口５３ｂのシャッタ６１ｂ，６３ａを開けることによって、加熱室２０と庫内との間に暖気を循環させる。なお、図３に示すように、本実施の形態では、商品収容庫５ｃは冷却専用であり冷気のみを循環させる構成としているため、冷気吸込口５２ｃ及び冷気吐出口５４ｃにシャッタを設けていない。
【００３９】
[冷却ユニット]
次に上述した加熱室２０及び冷却室３０についてさらに詳しく説明する。図９は機械室９の内部に設置された冷却ユニット１０の概念図、図１０は冷却ユニット１０における加熱室２０及び冷却室３０の概念図、図１１は加熱室２０内の空気の流れを模式的に示した図、図１２は冷却室３０内の空気の流れを模式的に示した図である。なお、図１１及び図１２では冷媒回路の配管等を省略して示している。図９に示すように、冷却ユニット１０は、圧縮機２００、凝縮器３００、電子膨張弁５１０、電磁弁５２０、蒸発器５００とを備えて構成してある。この冷却ユニット１０の冷媒としては、不燃性、安全性、不腐食性を有し、さらにオゾン層への影響が少ない二酸化炭素を用いている。上述したように、冷却ユニット１０は、２つの熱交換室、すなわち、加熱室２０と冷却室３０とからなる。加熱室２０及び冷却室３０は、それぞれ断熱材からなる筐体１００，１１０の内部に収容させてある。加熱室２０を収容した筐体１００及び冷却室３０を収容した筺体１１０は、機械室９内部に着脱可能に設置されるものであり、上述した４本の連絡通路７１，７２，７３，７４の下部に密着させてある。
【００４０】
図１０及び図１１に示すように、加熱室２０は、圧縮機２００、凝縮器３００、送風循環ファン４１０、及び、圧縮機２００と凝縮器３００とを連結する配管６１０とが配設してある。加熱室２０を上記構成とすることにより、凝縮器３００の凝縮熱に加えて、高温機器である圧縮機２００や配管６１０から発生する熱を空気の加熱に利用している。図１１に示すように、筺体１００の上部断熱壁には、上述したように、暖気吸込用連絡通路７１と加熱室と２０を連通させる開口である加熱室入口２５と、暖気吐出用連絡通路７３と加熱室２０とを連通させる開口である加熱室出口２６が形成してある。
【００４１】
また、図１１に示すように、加熱室２０の前方側及び後方側の断熱壁には、加熱室２０の排熱時において、庫外の空気を加熱室内に取り込む排熱用空気吸込口２１と、加熱室内の加熱された空気を庫外に排出する排熱用空気排出口２２が形成してある。この排熱用空気吸込口２１と排熱用空気排出口２２にはそれぞれ排熱用シャッタ２３，２４が設けてある。この排熱用シャッタ２３，２４は、断熱材から構成され、適宜な手段によって開閉を行うものである。排熱用シャッタ２３，２４は、商品収容庫の内部雰囲気を加熱する場合には閉じ、商品収容庫内の内部雰囲気を冷却する場合には開けるように制御される。排熱用シャッタ開放時には、加熱室２０内の加熱された空気は外部に排出される。
【００４２】
以下、加熱室２０内に設置される機器について説明する。圧縮機２００は、蒸発器５００からの冷媒を圧縮して高温高圧の状態にするものである。図１０に示すように、本実施の形態では、圧縮機２００として、２回に分けて圧縮動作を行う二段式圧縮機を適用している。より詳細に説明すると、圧縮機２００は、１回目（最初）の圧縮動作を行う第１圧縮機２１０と、２回目（最後）の圧縮動作を行う第２圧縮機２２０とを有し、これらの間に中間熱交換器（第１凝縮器）２３０を設けてある。この中間熱交換器２３０は、第１圧縮機２１０による１回目の圧縮動作により圧縮された冷媒を冷却、すなわち放熱させて冷媒を第２圧縮機２２０に戻すものである。中間熱交換器２３０は、例えば銅等の金属製の配管とアルミフィンとで構成したフィンチューブタイプのものを使用している。このように、中間熱交換器２３０を介して２回の圧縮動作を実行することで、低消費電力で冷媒を所望の高温高圧の状態に圧縮することが可能になる。圧縮機２００としては、レシプロ圧縮機、ロータリー圧縮機、スクロール圧縮機、あるいは、これらの圧縮能力を調整可能なインバータ圧縮機等を適用することができる。
【００４３】
凝縮器（第２凝縮器）３００は、圧縮機２００で高温高圧の状態に圧縮された冷媒を、放熱させて冷媒を液化するものである。但し、ＣＯ2冷媒の場合、冷媒温度が３１℃を超えると液化せず、超臨界状態となるときもあり、この場合には凝縮器３００がいわゆるガスクーラとして機能する。上述したように、本実施の形態では、凝縮器３００が放散する凝縮熱を商品の加熱用に回収している。本実施の形態における凝縮器３００は、例えば銅等の金属製の配管とアルミフィンとで構成したフィンチューブタイプのものを使用することができる。
【００４４】
送風循環ファン４１０は、凝縮器３００の近傍に設置してある。商品収容庫の内部雰囲気を加熱する場合には、庫内設置の送風循環ファン４０ａ，４０ｂを回転させることで暖気を循環させる。但し、加熱能力を増加する場合などは、図１１の実線の矢印で示すように加熱室２０で加熱された空気が暖気吐出口５３ａ，５３ｂに流れるように送風循環ファン４１０を回転させることにより、商品収容庫の内部において前方側から後方側に向けて暖気を循環させる。一方、商品収容庫全室の内部雰囲気を冷却する際には、送風循環ファン４１０を上記と逆方向に回転させることにより、破線の矢印で示すように、加熱室２０で加熱された空気を前方側から後方側に送り、後方側から外部に排出させる。なお、送風循環ファン４１０は、必要熱交換量が多い庫外排熱時に正回転方向となる向きで設置してある。
【００４５】
図１０及び図１２に示すように、冷却室３０は、蒸発器５００、電子膨張弁５１０及びこれらを連結する配管６２０とが配設してある。冷却室３０を構成する筐体１１０の側部断熱壁には、冷気吸込用連絡通路７２と冷却室と３０を連通させる開口である冷却室入口３５と、冷気吐出用連絡通路７４と冷却室３０とを連通させる開口である冷却室出口３６が形成してある。なお、図１２では省略されているが、この冷却室入口３５と冷却室出口３６との間には、吸込空気と吐出空気の通路を隔てる遮蔽板８５が設置してある（図１３を参照）。同様にして、蒸発器５００の上面にも、吸込空気と吐出空気の通路を隔てる水平遮蔽板８６が設置してある（図１３を参照）。
【００４６】
また、冷却室３０の下面を構成する断熱壁には、冷却室３０の排熱時において、庫外の空気を冷却室内に取り込む排熱用空気吸込口３１と、冷却室内の冷却された空気を庫外に排出する排熱用空気排出口３２が形成してある。この排熱用空気吸込口３１と排熱用空気排出口３２には排熱用シャッタ３３，３４が設けてある。この排熱用シャッタ３３，３４は、断熱材から構成され、適宜な手段によって開閉を行うものである。排熱用シャッタ３３，３４は、商品収容庫の内部雰囲気を冷却する場合には閉じ、商品収容庫の内部雰囲気を加熱する場合には開けるように制御される。排熱用シャッタ３３，３４の開放時には、冷却室３０内の冷却された空気は外部に排出される。
【００４７】
以下、冷却室３０内に設置される機器について説明する。電子膨張弁５１０は、凝縮器３００で放熱させた冷媒を断熱膨張させる、すなわち冷媒を減圧して低温低圧の状態に調整するものである。
【００４８】
蒸発器５００は、電子膨張弁５１０で低温低圧の状態に断熱膨張させた冷媒を蒸発させるものである。この冷媒が蒸発することにより、蒸発器５００の周辺領域の熱が奪われることによって、空気が冷却される。この蒸発器５００は、銅管とアルミフィンとで構成したフィンチューブタイプのものを使用している。
【００４９】
なお、図３に示すように、蒸発器５００の下部には、除霜運転により蒸発器５００に付着した霜が融けた水（除霜水）を受けるための水受け皿８１が設置してある。また、冷却室３０（筐体１１０）の下部断熱壁には、水受け皿８１で受けた除霜水を外部に排出するための排水口３７が形成してある。また、冷却室３０の下方のスペースには、蒸発皿８０、送風ファン４３０、風ガイド８２ａ，８２ｂ（図１を参照）が設置してある。蒸発皿８０は、排水口３７から滴下する除霜水を貯留して蒸発させるためのものであり、排水口３７の直下に配設してある。送風ファン４３０は、蒸発皿８０上部に空気を流通させることによって蒸発皿８０内の除霜水の蒸発を促進させるものであり、冷却室３０と蒸発皿８０との間のスペースに設置してある。なお、この送風ファン４３０は、冷却室３０の排熱用シャッタ３３，３４を開けて排熱を行う際に冷却室３０の冷気を外部に排出させる排熱用ファンとして兼用している。風ガイド８２ａ，８２ｂは、排熱用シャッタ３３，３４を開けて冷却室３０の冷気を外部に排出させる際に、外部からの空気を排熱用空気吸込口３１へと導くための２枚の板状部材であり、排熱用シャッタ３３，３４及び送風ファン４３の両側を囲う態様で配設してある。
【００５０】
上述した圧縮機２００、凝縮器３００、電子膨張弁５１０、蒸発器５００、ならびにこれらを接続する配管等により、冷媒を循環させるための冷媒循環路Ｌが形成される。そして、この冷媒循環路Ｌには、内部熱交換器６５０が設けてある。内部熱交換器６５０は、凝縮器３００からの高圧の冷媒と、蒸発器５００からの低圧の冷媒とを熱交換させるものであり、加熱室２０及び冷却室３０の外部に設置してある。より詳細に説明すると、内部熱交換器６５０の内部には、凝縮器３００で放熱させた冷媒が流れる冷媒管路６６０と、蒸発器５００で蒸発させた冷媒が流れる冷媒管路６７０とが、互いに熱交換可能な距離を有して非接触向流する態様で配設してある。
【００５１】
以上のような構成を有する自動販売機は、次のようにして商品収容庫５ａ，５ｂ，５ｃの内部雰囲気を加熱又は冷却することができる。以下、商品収容庫５ａ，５ｂ，５ｃのすべての内部雰囲気を冷却する場合（以下、これを「ＣＣＣモード」という）と、商品収容庫５ｂの内部雰囲気を加熱し、商品収容庫５ａ，５ｃの内部雰囲気を冷却する場合（以下、これを「ＣＨＣモード」という）について説明する。図１３は、冷却室３０と商品収容庫５ｃの一部を断面で示した斜視図であり、図１４は、加熱室２０と商品収容庫５ｂの一部を断面で示した斜視図である。図１３における矢印は、ＣＣＣモードにおける冷気の流れを示しており、図１４における矢印は、ＣＨＣモードにおける暖気と冷気の流れを示している。なお、図１３及び図１４では、空気を流通させている吐出口及び吸込口におけるシャッタを省略して示している。
【００５２】
また、図１５は、本実施の形態における全モード、すなわち、ＣＣＣモード、ＨＣＣモード（商品収容庫５ａの内部雰囲気を加熱し、商品収容庫５ｂ，５ｃの内部雰囲気を冷却する場合）、ＨＨＣモード（商品収容庫５ａ，５ｂの内部雰囲気を加熱し、商品収容庫５ｃの内部雰囲気を冷却する場合）及びＣＨＣモードにおける各シャッタの開閉動作と、各商品収容庫内の温度変化と、この温度変化に対応した庫内の送風循環ファン４０ａ〜４０ｃの作動タイミング、及び、加熱室２０及び冷却室３０における排熱用シャッタ２３，２４，３３，３４の作動タイミングを一覧にして示したものである。なお、図１５に示されている庫内空気温度の変化を示すグラフにおける横軸の時間は、各商品収容庫の庫内温度が所定温度に到達した時間を１ステップとして、４ステップ分が示されている。
【００５３】
（ＣＣＣモード）
商品収容庫５ａ，５ｂ，５ｃのすべてを冷却するＣＣＣモードを行う場合、各庫内の冷気吸込口のシャッタ６２ａ，６２ｂと冷気吐出口のシャッタ６４ａ，６４ｂを開け、各庫内の暖気吸込口のシャッタ６１ａ，６１ｂ及び暖気吐出口のシャッタ６３ａ，６３ｂを閉める。これにより、全庫内に冷気を循環させる。一方、ＣＣＣモードの運転中は、加熱室２０内で発生する熱を外部に排出させる必要があるため、加熱室２０の排熱用シャッタ２３，２４を開け、庫内に内部雰囲気を循環させる場合と逆向きに送風循環ファン４１０を回転させることにより、暖気を外部に放出する。
【００５４】
加熱室２０内において、圧縮機２００で圧縮され高温高圧の状態になった冷媒は、凝縮器３００に送り出され、凝縮器３００で放熱して冷却される。凝縮器３００で冷却された冷媒は、内部熱交換器６５０を通じて冷却室３０内の電子膨張弁５１０に送り出され、この電子膨張弁５１０で減圧されて断熱膨張し、低温低圧の状態になる。低温低圧の状態の冷媒は、開成状態にある電磁弁５２０を通じて蒸発器５００に送られ、蒸発器５００の周辺領域から熱を奪うことによって蒸発し、周辺の空気を冷却する。冷却された空気は、図１３中の矢印で示すように冷気吐出用連絡通路７４に送り込まれ、冷気吐出口５４ａ，５４ｂ，５４ｃから吐出され、吐出通路１５の送風循環ファン４０ａ〜４０ｃを通じて庫内を循環する。庫内を循環した空気は、背面ダクトに吸い込まれ、背面ダクト吐出口１９を通じて各吸込通路１６ａ，１６ｂ，１６ｃに送り込まれ、冷気吸込口５２ａ，５２ｂ，５２ｃと冷気吸込用連絡通路７２を通過して冷却室２０内に送られる。
【００５５】
図１５に示すように、庫内の送風循環ファン４０ａ，４０ｂ，４０ｃをＯＮにした場合、庫内温度が時間とともに下降し、ファンをＯＦＦにすると時間とともに温度が上昇する。この後、再び送風循環ファン４０ａ，４０ｂ，４０ｃをＯＮにする。これを繰り返すことにより、庫内の温度が設定温度（５℃）近くに保たれる。
【００５６】
（ＣＨＣモード）
商品収容庫５ａ，５ｃの内部雰囲気を冷却し、商品収容庫５ｂの内部雰囲気を加熱するＣＨＣモードを行う場合には、商品収容庫５ａの冷気吸込口のシャッタ６２ａと冷気吐出口のシャッタ６４ａを開け、暖気吸込口のシャッタ６１ａ及び暖気吐出口６３ａのシャッタを閉める。また、商品収容庫５ｂの暖気吸込口のシャッタ６１ｂと暖気吐出口６３ｂのシャッタ開け、冷気吸込口のシャッタ６２ｂと、冷気吐出口のシャッタ６４ｂを閉める。これにより、商品収容庫５ａ，５ｃに冷気を循環させ、商品収容庫５ｂに暖気を循環させる。ＣＨＣモードの運転中は、加熱負荷の方が大きくなるため、庫内の温度変化に応じて冷却室３０の排熱用シャッタ３３，３４を開け、冷気を外部に放出する。
【００５７】
加熱室２０で加熱された空気は、送風循環ファン４１０により、図１４中の実線の矢印で示すように暖気吐出用連絡通路７３を通じて暖気吐出口５３ｂから吐出され、吐出通路１５ｂの送風循環ファン４０ｂを通じて庫内を循環する。これにより、商品収容庫５ｂ内の内部雰囲気が加熱される。庫内を循環した空気は、背面ダクト１８に吸い込まれ、背面ダクト吐出口１９ｂを通じて吸込通路１６ｂに送り込まれ、暖気吸込口５１ｂを介して暖気吸込連絡通路７１に送られる。上述したように、暖気吸込用連絡通路７１は、加熱室入口２５との接続部分に傾斜部７５を設けた構成としている。従って、通路内を流通する気流は、傾斜面７６全体で直角に曲げられるから、加熱室入口２５に均一に送り込まれ、その結果、凝縮器３００に対して均一に気流が流れることになり、暖気吸込用連絡通路７１と加熱室入口２５との接続部分において偏流や逆流が生じるようなことがない。一方、冷却室３０で冷却された空気は、図１４中の破線の矢印で示すように冷気吐出用連絡通路７４に送り込まれ、各冷気吐出口５４ａ，５４ｃから吐出され、吐出通路１５ａ，１５ｃの送風循環ファン４０ａ，４０ｃを通じて庫内を循環する。庫内を循環した空気は、背面ダクト１８に吸い込まれ、背面ダクト吐出口１９ａ，１９ｃを通じて吸込通路１６ａ，１６ｃに送り込まれ、冷気吸込口５２ａ，５２ｃと冷気吸込連絡通路７２を通過して冷却室３０内に送られる。
【００５８】
図１５に示すように、商品収容庫５ｂ内の送風循環ファン４０ｂをＯＮにした場合、庫内温度が時間とともに上昇し、ファンをＯＦＦにすると時間とともに温度が下降する。この後、再び送風循環ファン４０ｂをＯＮにする。これを繰り返すことにより、庫内の温度が設定温度（５５℃）近くに保たれる。また、商品収容庫５ａ，５ｃでは、図１５に示すように送風循環ファンをＯＮ／ＯＦＦすることにより、庫内の温度が設定温度（５℃）近くに保たれる。
【００５９】
以上説明したように、本実施の形態の商品収容装置によれば、商品収容庫の内部雰囲気を加熱室２０に送る暖気吸込用連絡通路７１の加熱室入口２５との接続部分において、暖気吸込用連絡通路７１の断面積を通路の下流側に向けて漸次小さくする傾斜部７５を設けた構成としたことで、圧力の高い傾斜面７６付近から圧力の低い加熱室入口２５へと気流の流れが生じ、通路内の気流が傾斜面全体で曲げられる。その結果、気流は加熱室入口２５を均一に流れ、熱交換器３００に対して気流が均一に流れるようになるため、熱交換器３００の熱交換量を増加させ熱交換能力を向上させることができる。
【００６０】
また、上記実施の形態の商品収容装置では、傾斜部７５を断熱材で構成している。従って、暖気吸込用連絡通路７１を冷却室３０に隣接させた構成であっても、冷却室３０との間の断熱性が確保され、暖気吸込用連絡通路７１から冷却室３０への熱侵入量を低減させることができる。
【００６１】
なお、上記実施の形態では、傾斜部７５を暖気吸込用連絡通路７１にのみ設けた構成としたが、これに限定されない。例えば、冷気吸込用連絡通路７２の気流を、冷却室３０との接続口で直角に曲げて冷却室３０内に流す構成とした場合には、冷気吸込用連絡通路７２の、冷却室３０との接続口に傾斜部７５を設けることにより、上記実施の形態と同様の効果が得られる。
【００６２】
さらに、上記実施の形態では傾斜部７５を中実の断熱材で構成したが、傾斜面７６を断熱材からなる適宜な厚さを有する板材で構成し、この板材（傾斜面７６）と暖気吐出用連絡通路７１の内壁で囲まれた部分を中空に形成してもよい。
【００６３】
なお、上記実施の形態では、本発明の商品収容装置を自動販売機に適用したが、これに限定されるものではなく、商品を冷却又は加熱して収容するものであれば、他の商品収容装置にも適用できるのはもちろんである。
【産業上の利用可能性】
【００６４】
以上のように、本発明は、例えば複数の商品収容庫を備え、各庫内の内部雰囲気を冷却又は加熱して商品を収容する自動販売機として有用である。
【図面の簡単な説明】
【００６５】
【図１】図１は、本発明の実施の形態の商品収容装置を適用した自動販売機を正面から見た断面図である。
【図２】図２は、図１のＡ−Ａ線断面図である。
【図３】図３は、図１のＣ−Ｃ線断面図である。
【図４−１】図４−１は、暖気吐出用連絡通路内に傾斜部を設けない場合の空気の流れを模式的に示した図である。
【図４−２】図４−２は、暖気吐出用連絡通路内に実施例１の傾斜部を設けた場合の空気の流れを模式的に示した図である。
【図５】図５は、図４−２において、傾斜面７６を階段状に形成した場合の空気の流れを示した図である。
【図６−１】図６−１は、暖気吸込用連絡通路と加熱室との間に空気を循環させたシミュレーション結果を示した図である。
【図６−２】図６−２は、暖気吸込用連絡通路と加熱室との間に空気を循環させたシミュレーション結果を示した図である。
【図７】図７は、暖気吐出用連絡通路内に実施例２の傾斜部を設けた場合の空気の流れを模式的に示した図である。
【図８】図８は、暖気吸込用連絡通路と加熱室との間に空気を循環させたシミュレーション結果を示した図である。
【図９】図９は、本発明の実施の形態の商品収容装置を適用した自動販売機における冷却ユニットの概念図である。
【図１０】図１０は、図９に示した冷却ユニットの加熱室及び冷却室の概念図である。
【図１１】図１１は、図１０に示した加熱室内の空気の流れを模式的に示した図である。
【図１２】図１２は、図１０に示した冷却室内の空気の流れを模式的に示した図である。
【図１３】図１３は、本発明の実施の形態の商品収容装置を適用した自動販売機における冷却ユニットの一部を断面で示した斜視図である。
【図１４】図１４は、本発明の実施の形態の商品収容装置を適用した自動販売機における冷却ユニットの一部を断面で示した斜視図である。
【図１５】図１５は、本発明の実施の形態の商品収容装置を適用した自動販売機におけるＣＣＣモード、ＨＣＣモード、ＨＨＣモード、ＣＨＣモードに対応した各シャッタの開閉動作を一覧にして示した図表である。
【図１６】図１６は、従来の自動販売機を示す図である。
【符号の説明】
【００６６】
５ａ，５ｂ，５ｃ  商品収容庫
１０  冷却ユニット
２０  加熱室
２１  排熱用空気吸込口
２２  排熱用空気排出口
２３，２４  加熱室排熱用シャッタ手段
２５  加熱室入口
２６  加熱室出口
３０  冷却室
３１  排熱用空気吸込口
３２  排熱用空気排出口
３３，３４  冷却室排熱用シャッタ手段
３５  冷却室入口
３６  冷却室出口
４０ａ，４０ｂ，４０ｃ  （庫内）送風循環ファン
５１ａ，５１ｂ  暖気吸込口
５２ａ，５２ｂ  暖気吐出口
５３ａ，５３ｂ，５３ｃ  冷気吸込口
５４ａ，５４ｂ，５４ｃ  冷気吐出口
５５  暖気吐出用連絡通路開口部
６１ａ，６２ａ，６３ａ，６４ａ  シャッタ手段
６１ｂ，６２ｂ，６３ｂ，６４ｂ  シャッタ手段
７１，７３  加熱用連絡通路
７２，７４  冷却用連絡通路
７５  傾斜部
７６  傾斜面
８０  蒸発皿
８２ａ，８２ｂ  風ガイド
１００  筐体
１１０  筐体
２００  圧縮機
３００  凝縮器
４１０  （加熱室）送風循環ファン
４３０  （冷却室下方部）送風ファン
５００  蒸発器
５１０  膨張手段
６１０，６２０  配管
Ｌ      冷媒回路
【図１】
2008234045.tif 000003
【図２】
2008234045.tif 000004
【図３】
2008234045.tif 000005
【図４−１】
2008234045.tif 000006
【図４−２】
2008234045.tif 000007
【図５】
2008234045.tif 000008
【図６−１】
2008234045.tif 000009
【図６−２】
2008234045.tif 000010
【図７】
2008234045.tif 000011
【図８】
2008234045.tif 000012
【図９】
2008234045.tif 000013
【図１０】
2008234045.tif 000014
【図１１】
2008234045.tif 000015
【図１２】
2008234045.tif 000016
【図１３】
2008234045.tif 000017
【図１４】
2008234045.tif 000018
【図１５】
2008234045.tif 000019
【図１６】
2008234045.tif 000020